(57)【要約】【課題】騒音の少ない燃料供給装置を提供する。【解決手段】燃料供給装置１０は燃料タンク内に収容されている。燃料ポンプ４０の燃料吐出側４２に爪４７を有する突出部が周方向の離れた位置に２箇所形成されている。フィルタケース３２に形成されている開口部３８に爪４７が嵌合し係合していることにより、燃料ポンプ４０はフィルタケース３２から脱落することを防止される。燃料ポンプ４０の燃料吐出側４２の全周は、フィルタケース３２の円筒状の圧入部３７に圧入している。燃料ポンプ４０の燃料吸入側４８は他部品に支持されておらず、自由状態である。プレッシャレギュレータ６０の燃料入口はフィルタケース３２の燃料出口に直接結合している。プレッシャレギュレータ６０の燃料出口６２はサブタンク２０の底部内側に形成されているジェットポンプ７０の燃料入口７２に直接結合している。【選択図】　　　図１
2004028050.tif 000002
【特許請求の範囲】
【請求項１】
燃料タンク内に収容され、前記燃料タンク内の燃料を燃料タンク外に供給する燃料供給装置において、
前記燃料タンクに取り付けられる取付部材と、
吸入した燃料を吐出する電気駆動式の燃料ポンプと、
前記燃料ポンプが吐出する燃料中の異物を除去するフィルタエレメント、ならびに前記フィルタエレメントを収容し前記取付部材に連結しているフィルタケースを有する燃料フィルタとを備え、
前記燃料ポンプの燃料吐出側または前記フィルタケースの一方は係合突起を有し、前記燃料ポンプまたは前記フィルタケースの他方は前記係合突起が係合する被係合部を有し、前記係合突起が前記被係合部に係合することにより前記フィルタケースに前記燃料ポンプの燃料吐出側は支持され、前記燃料ポンプの燃料吸入側は自由状態にあることを特徴とする燃料供給装置。
【請求項２】
前記フィルタケースは前記燃料ポンプの燃料吐出側を圧入する環状の圧入部を有していることを特徴とする請求項１記載の燃料供給装置。
【請求項３】
前記係合部および前記被係合部は前記燃料ポンプの吐出側の周方向に複数配置されていることを特徴とする請求項１または２記載の燃料供給装置。
【請求項４】
燃料タンクに収容され、前記燃料タンク内の燃料を燃料タンク外に供給する燃料供給装置において、
前記燃料タンクに取り付けられる取付部材と、
吸入した燃料を吐出する電気駆動式の燃料ポンプと、
前記燃料ポンプが吐出する燃料中の異物を除去するフィルタエレメント、ならびに前記フィルタエレメントを収容し前記取付部材に連結しているフィルタケースを有する燃料フィルタとを備え、
前記フィルタケースは前記燃料ポンプの燃料吐出側を圧入し前記燃料ポンプを支持する環状の圧入部を有し、前記燃料ポンプの燃料吸入側は自由状態にあることを特徴とする燃料供給装置。
【請求項５】
前記燃料フィルタから流出する燃料の圧力を調整するプレッシャレギュレータと、前記燃料タンク内に設置され前記燃料フィルタおよび前記燃料ポンプを収容するサブタンクとを備え、
前記プレッシャレギュレータの燃料入口は前記フィルタケースと直接結合し、前記プレッシャレギュレータの燃料出口は前記サブタンクと直接結合していることを特徴とする請求項１から４のいずれか一項記載の燃料供給装置。
【請求項６】
前記燃料タンク内に設置され前記燃料フィルタおよび前記燃料ポンプを収容するサブタンクと、
前記サブタンク内に収容され、前記燃料フィルタから流出する燃料の圧力を調整するプレッシャレギュレータと、
前記プレッシャレギュレータから排出される余剰燃料を噴出する際に発生する負圧により前記燃料タンク内の燃料を吸い込み前記サブタンク内に送出するジェットポンプとを備え、
前記プレッシャレギュレータから排出される余剰燃料を導入する前記ジェットポンプの燃料入口は前記サブタンク内に形成されていることを特徴とする請求項１から４のいずれか一項記載の燃料供給装置。
【請求項７】
前記プレッシャレギュレータの燃料出口は前記ジェットポンプの燃料入口と直接結合していることを特徴とする請求項６記載の燃料供給装置。
【発明の詳細な説明】
【０００１】
【発明の属する技術分野】
本発明は、インタンク式の燃料供給装置に関する。
【０００２】
【従来の技術】
燃料タンク内に収容され、燃料タンク内の燃料を燃料タンク外の装置に供給する従来のインタンク式の燃料供給装置として、図４に示すものが知られている。燃料供給装置１００のフランジ１０２は、図示しない燃料タンクに取り付けられる。燃料フィルタ１１０のフィルタケース１１２は金属パイプ１０６によりフランジ１０２と連結している。フィルタケース１１２は断面Ｃ字状に形成されており、燃料ポンプ１２０の周囲を覆っている。燃料フィルタ１１０および燃料ポンプ１２０はサブタンク１３０内に収容されている。燃料ポンプ１２０は、インペラ等の回転部材が回転することにより、燃料吸入部１２４側から吸入した燃料を燃料吐出口１２２から吐出する。燃料吐出口１２２はフィルタケース１１２の燃料入口１１４に嵌合している。フィルタケース１１２内に収容されているフィルタエレメントにより異物を除去された燃料は、プレッシャレギュレータ１４０により圧力を調整され燃料吐出管１０４から燃料タンク外のインジェクタ等に供給される。燃料ポンプ１２０の燃料吸入部１２４は、フィルタケース１１２と結合している保持部１３２に支持されている。燃料吸入部１２４と保持部１３２との間にゴム製のクッション１３４が挟持されている。
【０００３】
プレッシャレギュレータ１４０とジェットポンプ１４２とは蛇腹管１４４で接続されている。ジェットポンプ１４２はプレッシャレギュレータ１４０から排出される余剰燃料を噴出し、サブタンク１３０内に燃料タンク内の燃料を送出する。
【０００４】
【発明が解決しようとする課題】
燃料ポンプ１２０の燃料吐出側の燃料吐出口１２２はフィルタケース１１２の燃料入口１１４に嵌合し、燃料吸入部１２４はフィルタケース１１２と結合している保持部１３２に支持されているので、燃料を吸入して吐出することにより生じる燃料ポンプ１２０の振動は、フィルタケース１１２に伝達する。フィルタケース１１２に伝達した振動は、取付部材１０２およびサブタンク１３０から燃料タンクに伝達し、燃料タンクの外に騒音となって伝達する。
【０００５】
本発明の目的は、騒音の少ない燃料供給装置を提供することにある。
本発明の他の目的は、プレッシャレギュレータとジェットポンプとの接続が容易な燃料供給装置を提供することにある。
【０００６】
【課題を解決するための手段】
本発明の請求項１記載の燃料供給装置によると、燃料ポンプの燃料吐出側またはフィルタケースの一方は係合突起を有し、燃料ポンプまたはフィルタケースの他方は係合突起が係合する被係合部を有し、係合突起が被係合部に係合することによりフィルタケースに燃料ポンプの燃料吐出側は支持されている。そして、燃料ポンプの燃料吸入側は自由状態にある。自由状態にあるとは、他部品に支持されておらず変位を規制されていない状態にあることを示している。燃料ポンプ内の駆動部が作動し、吸入した燃料を吐出することにより燃料ポンプが振動すると、自由状態にある燃料吸入側が振動し、フィルタケースに支持されている燃料吐出側は振動しない。燃料ポンプの燃料吸入側は自由状態であり他部品に支持されていないので、燃料ポンプの燃料吸入側が振動しても燃料ポンプの振動は他部品に伝達しない。したがって、燃料供給装置から騒音が発生することを低減できる。
【０００７】
本発明の請求項２記載の燃料供給装置によると、燃料ポンプの燃料吐出側がフィルタケースに係止されるとともに圧入部に圧入しているので、燃料ポンプの燃料吐出側の振れを防止できる。
本発明の請求項３記載の燃料供給装置によると、係合部および被係合部が燃料ポンプおよびフィルタケースの周方向に複数配置されているので、燃料ポンプは確実にフィルタケースに係止され支持される。
【０００８】
本発明の請求項４記載の燃料供給装置によると、燃料ポンプの燃料吐出側はフィルタケースの圧入部に圧入し、燃料吸入側は自由状態である。燃料ポンプ内の駆動部が作動し、吸入した燃料を吐出することにより燃料ポンプが振動すると、自由状態にある燃料吸入側が振動し、フィルタケースの圧入部に圧入されている燃料吐出側は振動しない。燃料ポンプの燃料吸入側は自由状態であり他部品に支持されていないので、燃料ポンプの燃料吸入側が振動しても燃料ポンプの振動は他部品に伝達しない。したがって、燃料供給装置から騒音が発生することを低減できる。
【０００９】
本発明の請求項５記載の燃料供給装置によると、プレッシャレギュレータの燃料入口はフィルタケースと直接結合し、プレッシャレギュレータの燃料出口はサブタンクと直接結合している。フィルタケースがプレッシャレギュレータを介してサブタンクと結合しサブタンクに支持されるので、燃料ポンプおよび燃料フィルタをサブタンクが支持できる。
【００１０】
本発明の請求項６記載の燃料供給装置によると、プレッシャレギュレータから排出される余剰燃料をジェットポンプに導入する燃料入口はサブタンク内に形成されている。サブタンク内に収容されているプレッシャレギュレータの燃料出口とジェットポンプの燃料入口とをサブタンク内で結合できるので、結合経路が短くなる。
本発明の請求項７記載の燃料供給装置によると、プレッシャレギュレータの燃料出口はジェットポンプの燃料入口と直接結合しているので、プレッシャレギュレータの燃料出口とジェットポンプの燃料入口とを接続する配管が不要になる。
【００１１】
【発明の実施の形態】
以下、本発明の実施の形態を示す実施例を図に基づいて説明する。
本発明の一実施例による燃料供給装置を図１に示す。燃料供給装置１０の取付部材１１は円板状に形成されており、樹脂で一体成形された図示しない燃料タンクの上壁に係止されて取付けられている。燃料供給装置１０の取付部材１１以外の部品は燃料タンク内に収容されている。
【００１２】
取付部材１１に、燃料吐出管１２および電気コネクタ１４が組み付けられている。燃料吐出管１２は、サブタンク２０内に収容されている燃料ポンプ４０から吐出された燃料を燃料タンクの外部に供給する管である。電気コネクタ１４は、リード線１５により燃料ポンプ４０に電力を供給する。
【００１３】
金属パイプ１８の一端は取付部材１１に圧入されており、他端はフィルタケース３２の上方に設置されているフランジ３４に緩く挿入されている。スプリング１９は、取付部材１１とフィルタケース３２のフランジ３４とを互いに離れるように付勢している。フランジ３４はサブタンク２０の開口部内壁に形成されている段部２２に係止され図１の下方への移動を規制されている。したがって、樹脂製の燃料タンクが温度変化による内圧の変化や燃料量の変化で膨張および収縮しても、スプリング１９の付勢力によりサブタンク２０の底部は燃料タンクの内側底面に常に押し付けられている。
【００１４】
サブタンク２０の内部には、サクションフィルタ２４、燃料フィルタ３０、燃料ポンプ４０およびプレッシャレギュレータ６０等が収容されている。サクションフィルタ２４は、燃料ポンプ４０がサブタンク２０内から吸入する燃料に含まれる比較的大きな異物を捕集する。プレッシャレギュレータ６０は燃料ポンプ４０が吐出する燃料の圧力を所定圧に調整する。燃料フィルタ３０は、フィルタケース３２内に収容されている図示しないフィルタエレメントにより燃料ポンプ４０から吐出される燃料に含まれる比較的小さな異物を捕集する。
【００１５】
燃料ポンプ４０は、図１に示す状態で、つまり燃料吐出側を鉛直方向上側に、燃料吸入側を鉛直方向下側にしてサブタンク２０内に収容されている。燃料ポンプ４０は、内部に図示しない電気駆動部としてのモータを有し、モータとともに回転する回転部材であるインペラの回転により燃料吸引力を発生する。図２に示すように、燃料ポンプ４０の燃料吐出口４４はフィルタケース３２の燃料入口３６に嵌合し結合している。燃料吐出口４４の外周壁と燃料入口３６の内周壁との間はＯリング５０によりシールされている。係止部材５２は円筒状に形成されており、燃料吐出口４４の外側に嵌合している。係止部材５２はＯリング５０が燃料入口３６から図２の下方に脱落することを防止する。
【００１６】
燃料ポンプ４０の燃料吐出口４４を含む燃料吐出側４２は樹脂で覆われている。この燃料ポンプ４０の燃料吐出側４２に突出部４６が２箇所周方向の離れた位置に形成されている。突出部４６は燃料吐出側４２から燃料吐出方向に突出している。突出部４６には径方向外側に突出している係合突起としての爪４７が形成されている。フィルタケース３２の突出部と対応する位置に四角形状の被係合部としての開口部３８が形成されている。爪４７は開口部３８に嵌合し係合している。爪４７が開口部３８に所謂スナップフィットして係合することにより、燃料ポンプ４０はフィルタケース３２から図１の下方に脱落することを防止される。燃料ポンプ４０の燃料吐出側４２の全周は、フィルタケース３２の円筒状の圧入部３７に圧入している。図３に示すように、圧入部３７の内周壁には周方向に複数の突部３７ａが形成されており、燃料吐出側４２の外周壁と当接している。燃料吐出側４２を圧入部３７に圧入しフィルタケース３２の燃料入口３６に燃料ポンプ４０の燃料吐出口４４を嵌合する組付動作で、爪４７は開口部３８に嵌合する。燃料ポンプ４０の回転軸に対し燃料吐出側４２と反対側の燃料吸入側４８は他部品に支持されておらず、自由状態である。
【００１７】
プレッシャレギュレータ６０は、燃料ポンプ４０から吐出され燃料フィルタ３０から蛇腹管２８を通り燃料吐出管１２に向かう燃料の圧力を調整する。プレッシャレギュレータ６０の図示しない燃料入口はフィルタケース３２の図示しない燃料出口に嵌合し直接結合している。サブタンク２０の底部内側に、ジェットポンプ７０の燃料入口７２が形成されている。プレッシャレギュレータ６０の燃料出口６２はジェットポンプ７０の燃料入口７２に嵌合し直接結合している。
【００１８】
ジェットポンプ７０はサブタンク２０の外側に超音波溶着等により取り付けられている。ジェットポンプ７０の燃料通路７４は燃料入口７２内の通路と連通している。燃料フィルタ３０から蛇腹管２８を通り燃料吐出管１２に向かう燃料の圧力を調整するときにプレッシャレギュレータ６０が燃料出口６２から排出する余剰燃料は、燃料入口７２内の通路、燃料通路７４を通り、ジェットポンプ７０のノズル７６からサブタンク２０に形成した燃料入口２６に向けて噴出する。ノズル７６から燃料を噴出することによりノズル７６および燃料入口２６付近に負圧が生じる。この負圧により燃料タンク内の燃焼がサブタンク２０内に送出される。燃料タンク内の燃料量が減少しても、サブタンク２０内は燃料で充満されている。
【００１９】
以上説明した本発明の実施の形態を示す上記実施例では、燃料ポンプ４０の鉛直方向上側に位置する燃料吐出側４２がフィルタケース３２に嵌合して係合し、燃料ポンプ４０の鉛直方向下側に位置する燃料吸入側４８が他部品に支持されず自由状態である。燃料ポンプ４０のインペラ等の回転部材が回転することにより燃料を吸入して吐出することにより燃料ポンプ４０が振動しても、燃料ポンプ４０の燃料吐出側４２がフィルタケース３２に係合することにより支持されぶら下がっている状態であるから、燃料ポンプ４０の振動がフィルタケース３２に伝達しにくい。燃料ポンプ４０の振動が燃料フィルタ３０から取付部材１１およびサブタンク２０から燃料タンクを通り燃料タンクの外側に伝達しにくので、燃料供給装置１０から発生する騒音を低減する。
さらに、燃料ポンプ４０の燃料吐出側４２がフィルタケース３２の圧入部３７に圧入しているので、燃料吐出側４２の振れを防止できる。
【００２０】
また、プレッシャレギュレータ６０の燃料入口がフィルタケース３２の燃料出口と直接結合し、プレッシャレギュレータ６０の燃料出口６２がサブタンク２０の底部内側に形成されているジェットポンプ７０の燃料入口７２と直接結合している。フィルタケース３２とサブタンク２０とがプレッシャレギュレータ６０により結合されているので、燃料フィルタ３０および燃料ポンプ４０はサブタンク２０により安定して支持される。
【００２１】
さらに、プレッシャレギュレータ６０とジェットポンプ７０とが直接結合しているので、プレッシャレギュレータ６０とジェットポンプ７０とを配管等により接続する必要がない。したがって、プレッシャレギュレータ６０とジェットポンプ７０との接続が容易である。
【００２２】
本実施例では、燃料ポンプ４０の燃料吐出側４２に係合突起としての爪４７を形成し、フィルタケース３２側に被係合部としての開口部３８を形成した。燃料ポンプ４０の燃料吐出側４２に被係合部を形成し、フィルタケース３２側に係合突起を形成することは可能である。
【図面の簡単な説明】
【図１】本発明の一実施例による燃料供給装置を示す断面図である。
【図２】燃料ポンプの燃料吐出側を示す拡大断面図である。
【図３】図２のＩＩＩ　−ＩＩＩ　線断面図である。
【図４】従来例による燃料供給装置を示す断面図である。
【符号の説明】
１０　　　燃料供給装置
１１　　　取付部材
２０　　　サブタンク
３０　　　燃料フィルタ
３２　　　フィルタケース
３７　　　圧入部
３８　　　開口部（被係合部）
４０　　　燃料ポンプ
４２　　　燃料吐出側
４６　　　突出部
４７　　　爪（係合突起）
４８　　　燃料吸入側
６０　　　プレッシャレギュレータ
６２　　　燃料出口
７０　　　ジェットポンプ
７２　　　燃料入口
【図１】
2004028050.tif 000003
【図２】
2004028050.tif 000004
【図３】
2004028050.tif 000005
【図４】
2004028050.tif 000006